(57)【要約】【課題】簡単な構造でありながらスライダーのプレートからの取り出しを可能とし、紙裁断機の搬送中であってもスライダーがプレートから外れることのない紙裁断機を提供する。【解決手段】ストッパ３０の端面をフランジ部５の外周面と略同一面となる肉厚に形成し、フランジ部５に形成した係合溝４に係合させることで、ストッパ３０の係止片３１に形成した係合部３１ａが弾性変形してフランジ部５に形成した係合部に係合する。ストッパ３０を係合部３１ａの弾性力に抗して基台２の面から離間する方向に引き出すことで、スロット１１の開口部１６を開放することができる。【選択図】  図２
2005125477.tif 000002
【特許請求の範囲】
【請求項１】
基台２と、
前記基台２上に配され、同基台２に対して接離可能な直線状のプレート１０と、
前記プレート１０を基台２に対して接離するように案内し、同プレート１０を保持する保持部材５、６と、
前記プレート１０の長手方向に沿って形成されたスロット１１と、
前記スロット１１内に摺動可能に受容され、カッタ２６を有するスライダー２０と、
を備え、
前記スロット１１は、少なくとも前記プレート１０の一端部まで開口した開口部１６を有し、
前記開口部１６と対峙した前記保持部材５、６の部位又は前記プレート１０の開口部１６近傍に、前記開口部１６を開放閉塞するストッパ３０を配設したことを特徴とする紙裁断機。
【請求項２】
前記保持部材６が、前記基台２に回動可能に支承され、前記プレート１０を前記基台２に対して回動可能に支持する一対のアーム部材６、６であることを特徴とする請求項１記載の紙裁断機。
【請求項３】
前記保持部材５が、前記基台の周辺部位に立設したフランジ部５であり、同フランジ部５が前記プレート１０を遊嵌して前記基台の面方向に案内するガイド溝８を有することを特徴とする請求項１記載の紙裁断機。
【請求項４】
前記ストッパ３０が、前記保持部材５、６又はプレート１０に対して回動可能に配設されてなることを特徴とする請求項１〜３のいずれかに記載の紙裁断機。
【請求項５】
前記ストッパ３０が、前記保持部材５、６又はプレート１０に対して着脱可能に配設されてなることを特徴とする請求項１〜３のいずれかに記載の紙裁断機。
【請求項６】
前記保持部材５、６に形成した係合溝４内で、前記ストッパ３０を上下方向に摺動案内する案内手段と、
前記ストッパ３０を立てた状態で前記案内手段により案内されて下降させた位置において、前記ストッパ３０を前記保持部材５、６に対して回動不可に係止する回動規制手段３９、３０ｃと、
を備え、
立てた状態の前記ストッパ３０を前記案内手段により案内されて上昇させた位置において、前記回動規制手段３９、３０ｃによる回動規制が解除され、前記ストッパ３０が、前記プレート１０の開口部１６を開放及び閉塞する方向へ回動可能に支承されてなることを特徴とする請求項１〜４のいずれかに記載の紙裁断機。
【請求項７】
前記ストッパ３０を、前記保持部材５、６に形成した係合溝４内で上下方向に摺動案内する案内手段と、
前記案内手段に備えられ、前記案内手段により案内された前記ストッパ３０の上昇位置において、前記ストッパ３０が前記プレート１０の開口部１６を開放及び閉塞する方向への回動を許容し、かつ前記ストッパ３０が前記プレート１０の開口部１６を閉塞する方向へ回動させたとき、前記案内手段により案内されて下降させる前記ストッパ３０を立てた状態に維持する維持手段と、
を備えてなることを特徴とする請求項１〜４のいずれかに記載の紙裁断機。
【請求項８】
前記プレート１０の前記基台２側への近接状態において、プレート１０の一部側縁部と係合する係止部材４１を更に備え、
前記係止部材４１が、前記基台２上で前記プレート１０の一部側縁部に対して接離可能に嵌挿されてなることを特徴とする請求項１〜７のいずれかに記載の紙裁断機。
【請求項９】
前記係止部材４１が、前記プレート１０の一部側縁部側に向かって付勢されてなることを特徴とする請求項８記載の紙裁断機。
【発明の詳細な説明】
【技術分野】
【０００１】
本発明は、紙裁断機、特にカッタを有するスライダーがプレートのスロットに沿って摺動する紙裁断機に関する。
【背景技術】
【０００２】
従来から、カッタを有するスライダーをプレートのスロットに沿って摺動させることにより、基台上に載置した紙を裁断する紙裁断機が用いられている。これらの紙裁断機において、カッタを有するスライダーをプレートのスロットから取り外す際には、プレートを捻るなどしてスロット間の間隔を広げ、広げた間隔からスライダーを取り出していた。即ち、スライダーの裏面側に形成したスロットからの抜け止め部が抜け出せる間隔を、スロットを広げることにより形成し、広げた間隔から抜け止め部を外すことでスライダーをスロットから取り外していた。
【０００３】
しかも、スライダーをスロットから取り出すためには、スロット間の間隔を広げ、間隔を広げた状態を維持したまま、スライダーを広げた間隔の部位に移動させることを必要とした。また、スライダーをスロット間から取り出す際に、スライダーに設けたカッタで指等が傷つかないように注意しながら行うことが必要であり、スライダー取り出し作業が難しいものとなっていた。
【０００４】
プレートからスライダーの取り出し作業を行い易くするために、スロットの両端部におけるスロット幅を拡幅して形成し、スライダーを拡幅部に移動させることで、スライダーを拡幅部から取り出せるようにした紙裁断機（例えば、特許文献１参照。）が提案されている。
【０００５】
特許文献１に記載された紙裁断機は、図２３に示すように基台５０上に一対のアーム５１を有する直線状のプレート５２が回動可能に設けられ、プレート５２に形成したスロット５３内にスライダー５４が摺動可能に受容されている。プレート５２は一対のアーム５１の端部を回動軸として図２３の時計方向に回動することで、基台５０上に載置した図示せぬ紙をプレート５２にて押圧把持することができる。紙を押圧把持した状態でスライダー５４をスロット５３に沿って摺動させることで、スライダー５４の裏面側に配したカッタにより基台５０上に載置した紙を裁断することができる。
【０００６】
スライダー５４をスロット５４から取り出すときには、スロット５３の端部側に形成したスロット幅を拡幅した拡幅部５５にスライダー５４を移動させることで、スライダー５４を拡幅部５５から取り出すことができる構成となっている。
【０００７】
しかし、特許文献１に記載された紙裁断機を携帯して搬送する場合などにおいて、基台５０が傾斜したりしてスライダー５４がスロット５３の端部側に移動し、拡幅部５５からスライダー５４が落下してしまう事態が発生する。場合によっては、スライダーを紛失してしまうことや、落下したスライダー５４のカッタが足等に当たったり、踏み付けたりして怪我を負う危険性がある。
【特許文献１】米国特許公開第２００３／０１４０７６１号公報
【発明の開示】
【発明が解決しようとする課題】
【０００８】
本願発明は、簡単な構造でありながらスライダーのプレートからの取り出しを可能とし、紙裁断機の搬送中であってもスライダーがプレートから外れることがなく、必要に応じてプレートをガタツかせることなくプレートを所定状態に係止しておくことのできる紙裁断機を提供することにある。
【課題を解決するための手段】
【０００９】
本願発明の課題は請求項１〜９に記載された各発明により達成することができる。
即ち、本願発明では請求項１に記載したように、基台と、前記基台上に配され、同基台に対して接離可能な直線状のプレートと、前記プレートを基台に対して接離するように案内し、同プレートを保持する保持部材と、前記プレートの長手方向に沿って形成されたスロットと、前記スロット内に摺動可能に受容され、カッタを有するスライダーとを備え、前記スロットは、少なくとも前記プレートの一端部まで開口した開口部を有し、前記開口部と対峙した前記保持部材の部位又は前記プレートの開口部近傍に、前記開口部を開放閉塞するストッパを配設したことを特徴とする紙裁断機を最も主要な特徴となしている。
【００１０】
更に、本願発明では請求項２に記載したように、前記保持部材が、前記基台に回動可能に支承され、前記プレートを前記基台に対して回動可能に支持する一対のアーム部材であることを主要な特徴となしている。
【００１１】
更にまた、本願発明では請求項３に記載したように、前記保持部材が、前記基台の周辺部位に立設したフランジ部であり、同フランジ部が前記プレートを遊嵌して前記基台の面方向に案内するガイド溝を有することを主要な特徴となしている。
【００１２】
また、本願発明では請求項４に記載したように、前記ストッパが、前記保持部材又はプレートに対して回動可能に配設されてなることを主要な特徴となしている。
【００１３】
更に、本願発明では請求項５に記載したように、前記ストッパが、前記保持部材又はプレートに対して着脱可能に配設されてなることを主要な特徴となしている。
【００１４】
更にまた、本願発明では請求項６に記載したように、前記保持部材に形成した係合溝内で前記ストッパを上下方向に摺動案内する案内手段と、前記ストッパを立てた状態で前記案内手段により案内されて下降させた位置において、前記ストッパを前記保持部材に対して回動不可に係止する回動規制手段とを備え、立てた状態の前記ストッパを前記案内手段により案内されて上昇させた位置において、前記回動規制手段による回動規制が解除され、前記ストッパが前記プレートの開口部を開放及び閉塞する方向へ回動可能に支承されてなることを主要な特徴となしている。
【００１５】
加えて、本願発明では請求項７に記載したように、前記ストッパを前記保持部材に形成した係合溝内で上下方向に摺動案内する案内手段と、前記案内手段に備えられ、前記案内手段により案内された前記ストッパの上昇位置において、前記ストッパが前記プレートの開口部を開放及び閉塞する方向への回動を許容し、かつ前記ストッパが前記プレートの開口部を閉塞する方向へ回動させたとき、前記案内手段により案内されて下降させる前記ストッパを立てた状態に維持する維持手段とを備えてなることを主要な特徴となしている。
【００１６】
また、本願発明では請求項８に記載したように、前記プレートの前記基台側への近接状態において、プレートの一部側縁部と係合する係止部材を更に備え、  前記係止部材が、前記基台上で前記プレートの一部側縁部に対して接離可能に嵌挿されてなることを主要な特徴となしている。
【００１７】
更に、本願発明では請求項９に記載したように、前記係止部材が、前記プレートの一部側縁部側に向かって付勢されてなることを主要な特徴となしている。
【発明の効果】
【００１８】
本願発明では、直線状のプレートに形成したスロット内に受容され、同スロットに沿って摺動するスライダーを有する紙裁断機において、スロットを少なくともプレートの一端部まで開口した開口部を有するスロットとして形成し、プレートを保持する保持部材又はプレートに前記開口部を開放閉塞するストッパを配設したことを特徴としている。
【００１９】
これによって、ストッパによりスロットの開口部を開放し、スライダーをスロットの端部開口側にそのまま摺動させるだけでスロットから簡単に取り出すことができる。また、ストッパでスロットの開口部を閉塞させておくだけで、スライダーはスロットから外れるのを防止することができる。
【００２０】
スロットの開口部を開放閉塞するストッパは、プレートを保持する保持部材又はプレートに配設することができる。ストッパのプレート又は保持部材への配設としては、プレート又は保持部材に対して着脱可能に構成することも、プレート又は保持部材に対して回動可能に構成することもできる。
【００２１】
プレート又は保持部材に対するストッパの着脱可能な構成としては、プレート又は保持部材にストッパを挿入する係合溝等の挿入部を形成し、同係合溝等の挿入部に挿入したストッパを脱着可能に係止する係合手段を、係合溝等の挿入部及びストッパとに設けることにより構成することができる。あるいは、ストッパをプレート又は保持部材に対して接着剥離可能に接着すること、面ファスナー等を用いた係脱手段等により着脱可能に構成することもできる。
【００２２】
また、プレート又は保持部材に対するストッパの回動可能な構成としては、ストッパの一端部をプレート又は保持部材により支承し、ストッパの他端側と同ストッパの閉鎖時にストッパの他端と当接するプレート又は保持部材の部位とに、ストッパを係脱可能に係止する係合手段を設けることにより構成することができる。
【００２３】
更に、ストッパを立てた状態において、保持部材に形成した係合溝内でストッパを案内手段により上下方向へ摺動可能に配し、しかも、ストッパを前記案内手段により上昇させた位置において、ストッパがプレートの開口部を開放及び閉塞する方向へ回動可能に支承されるように構成し、また、ストッパを案内手段により下降させた位置において、ストッパが保持部材に対して回動不可に係止する回動規制手段を備えた構成とすることができる。
【００２４】
更にまた、ストッパを保持部材に形成した係合溝内で上下方向に摺動案内する案内手段を設け、案内手段により案内されて下降させるストッパを立てた状態に維持する維持手段を更に前記案内手段に備えた構成とすることもできる。維持手段としては、案内手段により案内されたストッパの上昇位置において、ストッパがプレートの開口部を開放及び閉塞する方向への回動を許容し、かつ前記ストッパがプレートの開口部を閉塞する方向へ回動させたとき、案内手段により案内されて下降させるストッパを立てた状態に維持することのできる構成としておくことが望ましい。
【００２５】
案内手段としては、上下方向に形成した長溝及び同長溝内を摺動するピン等の支軸等により構成することができる。また。回動規制手段としては、前記長溝と略平行に配した突出片とストッパの端縁との当接により、ストッパの回動を規制する構成や前記長溝内に挿入することのできる突起部等により構成することができる。
【００２６】
維持手段としては、ストッパを上昇させた位置において、ストッパをプレートの開口部を閉塞及び開放する方向へ回動させたときに、係合及び解除を行うことのできる前記長溝と同方向に配された第２の長溝と、同第２の長溝に係合及び係合状態の解除を行うことのできるピン等により構成することができる。ピンと第２の長溝との係合及び解除は、第２の長溝の端部に外部への開放口を形成しておくことで行わせることができる。
【００２７】
これにより、ストッパを案内手段によって係合溝内で下降させた位置において、ストッパに対してプレートの開口部を開放及び閉塞する方向に力が加わったとしても、ストッパは回動することがなくなり、スライダーがスロットから抜け出るのを確実に防止することができる。
【００２８】
スロットの長さが長い紙裁断機を用いた場合においては、プレートと基台間に狭持し裁断することのできる被裁断紙としては大型の用紙に対して行うことができる。大型の用紙を裁断する場合に、スライダーをスロット内で摺動させたとき、スライダーが勢い余ってスロット端部近傍に配したストッパに衝突してしまうことがある。スライダーがストッパに衝突したとしても、ストッパが保持部材に対して回動不可に係止されていることで、ストッパがプレートの開口部を開放する方向に回動することが防止され、スロットの開口からスライダーが外部に抜け出るのを確実に防止することができる。
【００２９】
また、ストッパを立てた状態のままで案内手段によって係合溝内を上昇させることにより、回動規制状態から解除することができ、上昇させた位置においてプレートの開口部を開放及び閉塞するためにストッパを回動させることができる。あるいは、ストッパを案内手段により上昇させた位置で、更にストッパを回動させることで維持手段との係合、非係合状態とすることができる。しかも、ストッパを回動してプレートの開口部を開放させた状態では、スライダーをスロットから簡単に抜け出すことができるようになる。
【００３０】
本願発明では、プレートを基台側へ近接した状態において、プレートの一部側縁部と係合する係止部材を更に備えることができる。係止部材としては基台上で前記プレートの一部側縁部に対して接離可能に嵌挿された構成とすることができる。
【００３１】
プレートの基台側への近接状態としては、プレートが基台に対して平行状態を維持したまま上下方向に接離可能に構成されている場合では、プレートが基台側に当接又は近接した状態であり、保持部材が回動可能な場合では、保持部材が基台側に倒伏し、保持部材に保持されたプレートが基台に当接又は接近した倒伏状態である。
【００３２】
係止部材が係合するプレートの基台側への近接位置としては、保持部材の構成に応じてプレートと基台とが当接した位置、あるいはプレートの下面と基台上面との間に多少の間隙を有する位置とすることができる。
【００３３】
プレートの基台側へ近接した状態を、係止部材により保持することができるので、紙裁断機の搬送途中においてもプレートのガタツキを防止することができる。プレートのガタツキを防止することで、例えば、保持部材が回動可能な場合においては、保持部材のガタツキを防止することができる。これにより、保持部材の基台に対するヒンジ部等がガタツキによって欠損したりするのを防止することができる。従って、紙裁断機を長期にわたって安定した状態で使用することができるようになる。
【００３４】
係止部材としては、係止部材が係合するプレートの一部側縁部側に向かって付勢された構成とすることができる。これにより、プレートを基台に向かって下降させることで、係止部材を付勢力に抗して後退させ、更にプレートが下降して基台側への近接位置にプレートが来たとき、再び係止部材が付勢力により前進して係止部材とプレートの一部側縁部とを自動的に係合させることができる。
【００３５】
ストッパの形状としては、スロットからスライダーが抜け出るのを防止できる構成であれば適宜の構成を採用することができるものである。また、案内手段としては、ストッパを係合溝内で上下方向に摺動させる構成であれば、適宜の構成を採用することができる。また、維持手段は、ストッパを係合溝内で上下方向に摺動させ、かつストッパが上昇した位置において係合状態及び非係合状態となる構成であれば、適宜の構成を採用することができる。
【００３６】
本発明においては、基台上に載置した紙をスライダーに設けたカッタで裁断する上で、カッタの先端部を没入させるスライダーの摺動方向と平行な案内溝を基台上に形成しておくことも、また、カッタの先端部が当接する部位にマット等をスライダーの摺動方向と平行に配設しておくこともできる。
【００３７】
基台に対するプレートの保持手段としては、一般に紙裁断機において用いられている構成を採用することができ、プレートを基台に対して回動可能に保持する構成やプレートを基台の面方向に弾力的に付勢して案内する構成を採用することができる。
【００３８】
また、プレートを基台に対して回動可能とする場合において、基台から離間するプレートの回動方向としては、基台の端縁部から外側に回動する構成とすることも、基台の中央側に回動する構成とすることも、あるいは、プレートの一端部側を回動支軸し、プレートの他端側を基台に対して起立する構成とすることもできる。
【発明を実施するための最良の形態】
【００３９】
本発明の好適な実施の形態について、添付図面に基づいて以下において具体的に説明する。尚、本発明は、以下に説明する実施例に限定されるものではなく、多様な変更が可能である。
【実施例１】
【００４０】
図１では、本願発明に係わる第１実施例における紙裁断機の主要構成部材を分解した全体構成図である。図２〜５は、スロットの端部における開口部を開放閉塞するストッパの構成とスライダーの取り出し状況を示した部分拡大図である。
【００４１】
図１に示すように紙裁断機１は基台２の端部において、紙押さえ板を併設したプレート１０を基台の面方向に接離可能に保持している。また、プレート１０の裏面側と基台２との間にバネ１５を介在させ、プレート１０をバネ１５により上方に付勢している。プレート１０には中央にプレート１０の長手方向に沿ってスロット１１が形成され、スロット１１の一端部は開口され、スライダー２０をスロット１１の摺動方向に沿って挿入及び取り出すことのできる開口部１６として形成されている。バネ１５を載置する部位には、例えば図１４に示すような突起１５ａが形成され、同突起とバネ１５の中央部に形成した孔とを係合させることにより、基台２に固定することができる。
【００４２】
スロット１１の両側縁は案内レール１２が形成され、案内レール１２によってスライダー２０をスロット１１に沿っての摺動案内を行うことができる。スライダー２０は、案内レール１２に案内される脚部２４を有するスライダー本体２１と、スライダー本体２１に着脱可能に取り付けられる蓋２２から構成されている。
【００４３】
スライダー２０を、案内レール１２の内側面または外側面をガイド面として摺動する構成とすることも、案内レール１２の外側面側に形成した溝部をガイド溝として摺動させる構成とすることもできる。この場合、スライダー本体２１に設けた脚部２４を上記ガイド面に対する被ガイド部材とすることも、スライダー本体２１又は蓋２２の裏面側に上記ガイド面又はガイド溝に対する被ガイド部材を形成しておくこともできる。
【００４４】
スライダー本体２１には、カッタ２６を収納保持するカッタ保持孔２７が形成され、カッタ２６はスライダー本体２１の裏面側から一部突出した状態でカッタ保持孔２７に収納保持される。スライダー本体２１に立設して形成された脚部２４は、案内レール１２の裏面側と係合してスライダー２０のスロット１１からの抜け止めを行う係合部２５が形成されている。
【００４５】
スライダー本体２１の上面を被覆する蓋２２の表面には凹凸２３が形成され、手のひら・指先等との間での滑りを防止することができる。また、蓋２２の側面部を所定の肉厚を有する形状となし、指等で蓋２２の側面部を容易に把持してスライダー２０の摺動を行わせることにより、紙切断用押圧力をスライダーに十分伝えることができる。
【００４６】
プレート１０の両端部には、基台２の両側縁に形成したフランジ部５のガイド溝８と係合し、ガイド溝８内に遊嵌される係合凸部１３が形成されている。フランジ部５には、プレート１０を基台２から離間する方向に付勢する一対のバネ１５が、プレート１０の両端部側に配されている。バネ１５の付勢力によるプレート１０の上昇位置は、ガイド溝８により規制されている。
【００４７】
プレート１０の一端部裏面には、開口部１６を跨いで左右の案内レール１２、１２間を連結するブリッジ１４が形成されている。ブリッジ１４は、スライダー２０の脚部２４をスロット１１内に挿入及びスロット１１内から取り出すときに、脚部２４及び脚部２４の端部に形成した係合部２５と干渉しない形状に形成されている。ブリッジ１４はプレート１０の両端部に形成することも、開口部１６が形成された端部のみに形成することもできる。
【００４８】
スロット１１の開口部１６と対峙するフランジ部５には、ストッパ３０が設けられ、同ストッパ３０により開口部１６を開放したり閉塞したりしている。また、ストッパ３０の内面側には、図４に示すようにプレート１０に形成した係合凸部１３を係止して、プレート１０の抜け止めを防止するガイド溝が形成されている。
【００４９】
なお、図１〜図３、図５におけるストッパ３０においても図示はしてはいないが、前記係合凸部１３を遊嵌するガイド溝がストッパ３０の内面側に形成されている。また、ストッパ３０は、バネ１５の付勢力によって係合溝４がら抜け出ないよう、係合溝４との間で係合されている。
【００５０】
第１実施例における紙裁断機の構成としては、スロット１１に開口部１６を形成し、同開口部１６を開放したり閉塞したりするストッパ３０をフランジ部５に形成した構成を除いて、基台２上に載置した図示せぬ紙の位置を規制する規制部材３の構成、スライダー２０の高さ、形状、カッタ２６の固定方法等を含めて、従来から公知の構成を紙裁断機の構成として採用することができるものである。
【００５１】
このため、紙裁断機１の各構成部材としては、従来から用いられている種々の形態を採ることができるものであるので、各構成部材についての詳細な説明は省略する。また、本願発明における紙裁断機１の各構成部材は、上述した各構成部材の構造に限定されるものではなく、種々の形態を採用することができる。
【００５２】
また、スロット１１の開口部１６は、プレート１０の一端に形成することに限定されるものではなく、プレート１０の両端に開口部１６を形成することができる。その際には、ストッパ３０を左右のフランジ部５，５に形成しておくことが望ましいが、一方のフランジ部５のみにストッパ３０を形成しておくこともできる。
【００５３】
図２〜図５を用いて、ストッパ３０のフランジ部５へ設置する形態について説明するが、ストッパ３０のフランジ部５への設置形態は、図２〜図５に示す形態に限定されるものではなく、多様な変更が可能である。また、図２〜図５に示す構成は、図１に示した構成において、スロット１１の開口部１６近傍を拡大して示したものであり、図１と同じ部材符号を用いることで各部材の説明を省略することとする。
【００５４】
図２に示すように、ストッパ３０は側面中央がフランジ部５の外周面と略同一面となる肉厚に形成され、その両端面に段状の係止片３１を設けた形状とし、対応するフランジ部５に形成した段差部を有する係合溝４と係合する。ストッパ３０を基台２の面方向に係合溝４へ係合させることで、ストッパ３０の係止片３１に形成した適宜の係合部３１ａとフランジ部５に形成した図示せぬ係合部とが係合し、ストッパ３をフランジ部５に取り付けることができる。その際、係合部３１ａ又はフランジ部５に形成した図示せぬ係合部を、弾性変形させて係合位置と非係合位置とに変位するように構成しておくことができる。
【００５５】
また、上述したストッパ３０の肉厚部の裏面側には、プレート１０の端部に形成した係合凸部１３を遊嵌するガイド溝が形成されている。プレート１０の他端側に形成した係合凸部１３は、ストッパ３０とは反対側に配した図１に示すようなフランジ部５のガイド溝８と同様のガイド溝に遊嵌されている。プレート１０を基台２から離間する方向に付勢する一対の図示せぬバネがプレート１０の両端部側に配され、プレート１０を基台２に対して離間方向に付勢している。
【００５６】
これにより、プレート１０に対して所定の押圧力を付加することにより、基台２とプレート１０下面との間で被裁断紙を狭持することができ、押圧力を解除することにより基台２上面とプレート１０下面間に裁断用の用紙を挿入する間隙を形成することができる。尚、図３〜図５に示すストッパ３０においても、プレート１０に形成した係合凸部１３を遊嵌するガイド溝が形成されているが、以下の説明ではガイド溝に関する説明は省略する。
【００５７】
ストッパ３０を基台２の面から離間する方向に係合溝４から引き出すことにより、スロット１１の開口部１６を開放することができる。ストッパ３０を係合溝４に係合させることにより、スロット１１内を摺動するスライダー２０が開口部１６から取り出されるのを防止することができる。また、ストッパ３０を係合溝４から抜き出すことにより、スライダー２０のスロット１１への挿入、取り出しを行うことができる。
【００５８】
図３は、ストッパ３０をフランジ部５の側面側から係合させる実施例を示している。ストッパ３０にはフランジ部５と係合する係止片３４が形成されている。同係止片３４には係合部３４ａが形成され、フランジ部５に形成した図示せぬ係合部との間で係脱を行うことができる。その際、係合部３４ａ又はフランジ部５に形成した図示せぬ係合部を、弾性変形して係合位置と非係合位置とに変位するように構成しておくことができる。図２に示した実施例と同様に、ストッパ３０の係脱により、スロット１１の開口部１６を開放・閉鎖することができる。
【００５９】
図４、図５は、ストッパ３０が回動可能にフランジ部５に支承された例を示している。図４では、ストッパ３０がフランジ部５の側面と直交する方向に回動するように、ストッパ３０の一端部の両側がフランジ部５に回動可能に支承されている。ストッパ３０を図４における手前側に回動させることで開口部１６を開放することができ、逆向きに回動させることで、ストッパ３０に形成した突起部３５ａとフランジ部５に形成した前記突起部３５ａが収納する凹部３５ｂとが係合して開口部１６を閉鎖することができる。その際、突起部３５ａを、弾性変形して凹部３５ｂとの係合位置と非係合位置とに変位するように構成しておくことができる。
【００６０】
図４に示すものでは、突起部３５ａと凹部３５ｂとにより、係止機構を構成している。係止機構における突起部をフランジ部５側に形成し、凹部をストッパ３０に形成することもできる。
【００６１】
図５では、ストッパ３０がフランジ部５の側面と平行な方向に回動できるように、ストッパ３０の一端部側がフランジ部５に回動可能に支承し、他端部を段状の肉薄係止片３６とした例を示している。ストッパ３０は、図５に示すストッパ３０の回動側を回動支点として、反時計方向にストッパ３０を回動させることで開口部１６を開放させることができ、時計方向に回動させることで開口部１６を閉鎖することができる。
【００６２】
ストッパ３０の回動端面と同回動端面を受容するフランジ部５の側面部の形状としては、ストッパ３０の回動中心を中心とした同心円弧状に形成しておくことが望ましい。また、ストッパ３０の他端に形成した係止片３６の係合部３６ａがフランジ部５に形成した図示せぬ係合部と係合することにより、ストッパ３０をフランジ部５に係合させることができる。その際、係止部３６ａ又はフランジ部５に形成した図示せぬ係合部を、弾性変形させて係合位置と非係合位置とに変位するように構成しておくこともできる。
【実施例２】
【００６３】
図６〜図１１は、プレート１０を基台２に対して回動可能とした第２実施例を示しており、プレート１０を回動させる構成を除いて、他の構成は第１実施例と同様の構成を備えている。このため、第１実施例で用いた部材符号と同じ部材符号を用いることでその部材の説明を省略する。
【００６４】
尚、第１実施例では、プレート１０の少なくとも開口部１６がある端部にブリッジ１４を形成した例を示している。しかし、第２実施例におけるプレート１０の両端部は一対のアーム６，６によって支持されているため、プレート１０の開口部１６がある端部にブリッジ１４を形成することは必ずしも必要なものではなく、実施例２では、ブリッジ１４を形成していない場合について説明を行う。実施例２のものにおいて、ブリッジ１４を形成することはできるものである。
【００６５】
図７に示すように、プレート１０の両端には一対のアーム６が取り付けられている。一対のアーム６の他端部は基台２に支軸６’を中心として回動可能に支承され、一対のアーム６を図７における時計方向に回動させ、図６に示す状態に倒伏することで基台２上に載置した図示せぬ紙をプレート１０で押さえることができる。
【００６６】
図６に示す紙裁断機１では、ストッパ３０が係合する係合溝４が一対のアーム６，６に形成されている構成が、図２に示した紙裁断機１の構成と異なっているだけで、他の構成は図２に示したと同様の構成を備えている。
【００６７】
図６では、一対のアーム６は基台２に形成した図示せぬフック部と一対のアーム６に形成した同フック部と係合した回転軸とによりヒンジ結合を形成し、一対のアーム６が基台２に対して回転可能に支承されている例を示している。一対のアーム６を基台２に対して回転可能に支承する構成としては、ヒンジ結合、支軸による結合等適宜の回転支持手段を採用することができる。
【００６８】
プレート１０で紙を押さえた状態で、スライダー２０を案内レール１２に沿って摺動させることにより、基台２上に載置した図示せぬ紙をスライダー２０に設けたカッタ２６で裁断することができる。その際、カッタ２６の先端部を基台２上に形成した案内溝９内に没入させることができる。基台２上に案内溝９を形成する代わりに図示せぬマット等を配設しておくこともできる。
【００６９】
図８〜図１１は、アーム６の一部とプレート１０とを抜き出して図示したものである。図８におけるアーム６とストッパ３０との取り付け構成は、図２におけるストッパ３０の取り付け構成がフランジ部５であった代わりに、フランジ部５をアーム６としたものである。このため、ストッパ３０とアーム６との取り付け構成は、図２におけるストッパ３０とフランジ部５との取り付け構成と同様の取り付け構成を採用することができる。図８におけるアーム６とストッパ３０との取り付け構成は、図２におけるストッパ３０とフランジ部５との取り付け構成の説明をもって省略することとする。
【００７０】
同様に、図９〜図１１におけるストッパ３０とアーム６との取り付け構成は、それぞれ図３〜図５におけるストッパ３０とフランジ部５との取り付け構成と同様の取り付け構成を採用することができる。このため、図９〜図１１におけるアーム６とストッパ３０との取り付け構成は、それぞれ図３〜図５におけるストッパ３０とフランジ部５との取り付け構成の説明をもって省略することとする。
【００７１】
また、スライダー本体２１、蓋２２を肉厚とし、指による押圧力をかけ易くした構造は、第１実施例で説明したと同様の構成とすることができる。
【実施例３】
【００７２】
第１実施例及び第２実施例では、ストッパ３０をそれぞれフランジ部５とアーム６とに取り付けた例を示したが、第３実施例では、ストッパ３０をプレート１０に着脱可能又はプレート１０に対して回動可能に取り付けた例を示している。
【００７３】
第３実施例におけるプレート１０としては、第１実施例のようにフランジ部５に案内されて基台２に対して面方向に接離する構成、第２実施例のようにアーム６に取り付けられて基台２に対して回動可能とした構成のいずれの構成をも取り得るものである。このため、ストッパ３０とプレート１０との取り付け部近傍における取り付け構成を説明し、紙裁断機の全体構成やプレート１０とフランジ部５又はアーム６との関連構成は省略することとする。
【００７４】
ただ、第３実施例におけるプレート１０が、第１実施例のように基台２の面方向に接離する場合でも、第２実施例のように基台２に対して回動する場合であっても、フランジ部５又はアーム６の第３実施例でのストッパ３０と対峙する部位に切り欠き部を形成しておき、スライダー２０をスロット１１内に挿入あるいはスロット１１内からの取り出しを阻害しない構成としておくことが必要である。
【００７５】
図１２では、ストッパ３０をプレート１０に対して着脱可能に取り付ける例を示している。プレート１０の案内レール１２に凹欠状の切り欠き部１７を形成し、同切欠き部１７の底部に係合部１７ａを形成することで、ストッパ３０の係合片３７を着脱可能に嵌合させることができる。係合片３７に突起３７ａを形成し、切り欠き部１７に形成した係合部１７ａと係合させることで、ストッパ３０とプレート１０との嵌合状態を維持することができる。
【００７６】
ストッパ３０を切り欠き部１７から取り外すときには、係合部１７ａまたは突起３７ａが弾性変形し、ストッパ３０の切り欠き部１７からの取り外しを行うことができる。切欠き部部１７の底部に係合部１７ａを形成せずに、面ファスナー、着脱可能の接着材を切欠き部部１７の底部等に設けることでストッパ３０と切欠き部１７とを着脱可能に構成することもできる。
【実施例４】
【００７７】
図１３では、ストッパ３０をプレート１０に回動可能に取り付けた第４実施例を示している。ストッパ３０の一端部をプレート１０に支軸１２’で支承し、他端部に形成した係合片３８をプレート１０の端部に形成した係合穴１８に嵌合させることで、ストッパ３０とプレート１０との固定関係を維持し開口部１６を閉鎖することができる。また、ストッパ３０を図１３の反時計方向に回動させることで、係合片３８と係合穴１８との係合状態を解除して開口部１６を開放することができる。
【００７８】
第１実施例から第４実施例では、機械的にストッパ３０とフランジ部５、アーム６又はプレート１０に着脱可能に取り付ける構成の例を説明してきたが、本願発明は、上述の取り付け構成以外にも、ストッパ３０を接着剥離可能の接着手段や面ファスナー等の係脱手段等を用いて、フランジ部５、アーム６又はプレート１０に着脱可能に取り付ける取り付け構成として採用することができるものである。また、機械的な取り付け構成は、第１〜第４実施例に示した構成に限定されるものではなく、多様な取り付け構成を採用することができるものである。
【実施例５】
【００７９】
図１４〜図１７は、本願発明に係わる実施例５を示している。実施例５の構成は、ストッパ３０を立てた状態で保持部材に形成した係合溝４内を上下方向に摺動させることができ、係合溝４の上方位置においてプレート１０の開口部１６を開放又は閉塞する方向にストッパ３０を回動させることができ、係合溝４の下方位置においてストッパ３０の回動を規制する構成となっている。図１５は、図１４の作動状況を説明する図であり、図１６、図１７はそれぞれ実施例５の変形例を示している。
【００８０】
実施例５における構成では、ストッパ３０を上下方向へ摺動させる構成、及びストッパの回動及びストッパの回動規制における構成が、上記実施例１〜４におけるストッパ３０の構成と異なっている。他の構成は、実施例１〜４における構成と同様の構成を有しており、同様の構成に関しては同じ部材符号を用いることで、当該部材の説明を省略する。
【００８１】
図１４に示すように、ストッパ３０にはフランジ部３０ａが形成され、同フランジ部３０ａにはプレート１０の端部を遊嵌するガイド溝８を備えている。また、基台２のフランジ部５には係合溝４が形成され、係合溝４の両側面には、ストッパ３０の支軸３２を収納する長溝３３が形成されている。長溝３３は下端部を開放し、下端部近傍に内側に突出した突起部を有するとともに、長溝を形成する他方の側辺部を弾性片３３ａにより形成している。
【００８２】
前記突起部により長溝３３内に嵌入した支軸３２の抜け止めを行うことができる。また、長溝３３の下端部に上下一対の突起部を形成しておき、ストッパ３０の支軸３２を同一対の突起部内で保持しておくこともできる。一対の突起部内で支軸３２を保持しておくことにより、ストッパ３０が上方に移動するのを防止することができる。
【００８３】
弾性片３３ａを片持ち状態で変形させることにより、フランジ部５の下面側からストッパ３０の支軸３２を長溝３３内に収納することができる。長溝３３のプレート１０側には、回動規制部材３９が設けられている。回動規制部材３９には、ストッパ３０の回動時に、ストッパ３０の円弧状端部３０ｂが回動規制部材３９と干渉しないで回動することのできる円弧面３９ｂとストッパ３０の回動を規制する垂直面３９ａとを備えている。
長溝３３と支軸３２とにより係合溝４内に配した案内手段が構成されている。
【００８４】
図１５（ａ）に示すように、ストッパ３０を垂直状態に立てて長溝３３内の下方側に摺動させたとき、回動規制部材３９の垂直面３９ａにフランジ部３０ａの外周面が規制されストッパ３０の回動が阻止される。回動規制部材３９は係合溝４における内側の両側面に形成することも、同側面の一方に形成することもできる。
【００８５】
図１５（ｂ）のように、ストッパ３０を真っ直ぐに持ち上げて長溝３３内で上昇させると、垂直面３９ａとフランジ部３０ａの外周面との係合状態が解除され、ストッパ３０は支軸３２を回動中心として、プレート１０の開口部１６を開放する方向に回動することができる。このとき、回動規制部材３９の円弧面３９ｂの形状により、ストッパ３０の円弧状端部３０ｂと円弧面３９ｂとが干渉せずに、ストッパ３０を回動させることができる。
【００８６】
図１５（Ｃ）に示すように、プレート１０の開口部１６を開放する方向にストッパ３０を回動させたとき、ストッパ３０の端面が円弧面３９上に乗ることができる。紙裁断機１を載置した台の上面とストッパ３０とが面接触するようにストッパ３０の肉厚を形成しておくことが望ましい。これにより、ストッパ３０が開放方向に回動された状態でストッパ３０に対して上側から不測の圧力等が加わっても、ストッパ３０の支軸３２等が欠損することが防止される。
【００８７】
ストッパ３０の肉厚を厚くせずに、ストッパ３０を開放状態としたときに、紙裁断機１を載置した台表面にストッパ３０が面接触するように、ストッパ３０の支軸３２の取り付け位置等を変更して構成しておくこともできる。
【００８８】
図１４、１５において図示はしていないが、プレート１０と基台２との間にはプレート１０を上方に付勢する図１に示すようなバネ１５が設けられている。同バネは、同バネに形成した係合孔と突起１５ａとが係合することにより基台２に係止することができる。前記バネにより上方に付勢されたプレート１０の上方位置は、回動規制部材３９に形成した係止段部３９ｃとプレート１０に形成した係止片１０ａとの係合により規制されている。
【００８９】
図１６では、係合溝４内に形成する長溝３３を上方側が開放された形状に形成し、立てた状態におけるストッパ３０の上方部に長溝３３と係合する係止片３０ｃを突設した構成を特徴とし、この特徴とする構成において図１４に示す構成と異なっている。係止片３０ｃが回動規制手段として構成されている。他の構成は、図１４に示す構成と同様の構成を有している。
【００９０】
図１６に示すものでは、ストッパ３０を一旦上方に摺動させて係合片３０ｃと長溝３３との係合状態を解除すれば、ストッパ３０は自由に回動することができる。しかも、回動した状態のままストッパ３０を長溝に沿って下方に摺動させることができるので、プレート１０の開口部１６を広く開放することができる。このとき、ストッパ３０と紙裁断機１を載置した台とが面接触状態となるように構成しておくことが望ましい。
【００９１】
図１７は、ストッパ３０を立てた状態でストッパ３０の下端部に係止片３０ｃを形成し、基台２のフランジ部５またはアーム部材６に同係止片３０ｃが係合する係止溝４７を形成した構成を特徴とし、この特徴とする構成において図１６に示す構成と異なっている。係止片３０ｃが回動規制手段として構成されている。
【００９２】
また、ストッパ３０を係合する係合溝４がアーム６上に形成されている点で図１６に示した構成と異なっている。他の構成は、図１６に示す構成と同様の構成を有している。ストッパ３０に形成した支軸３２は、長溝３３内で摺動自在及び回動可能に遊嵌されている。
【００９３】
ストッパ３０は、長溝３３に沿って挿入することができる。長溝３３の上端部に内側に突出した突起部等を形成し、同突起部からストッパ３０の支軸３２を長溝３３内に嵌入させることで、同突起部によりストッパ３０が長溝３３から抜け出るのを防止するように構成することもできる。
【００９４】
第５実施例において、基台２上のフランジ部５にストッパ３０を保持する構成、アーム部材６にストッパ３０を保持する構成を例に挙げて説明しているが、図示例のようにストッパ３０はフランジ部５あるいはアーム部材６に保持されることに限定されるものではなく、フランジ部５又はアーム部材６のいずれに保持されるように構成することもできる。
【００９５】
ストッパ３０の支軸３２を縦断面形状が長楕円形の形状に形成し、長溝３３の上端部における溝幅を長楕円形状の支軸３２が回動する形状に構成することもできる。このとき、支軸３２が長溝３３の下端部近傍に位置しているときには、支軸３２の長楕円における長軸方向の外周面と長溝３３との間でもストッパ３０の回動を規制することができ、回動規制部材３９による回動規制、係止片３０ｃと長溝３３との係合により回動規制又は係止片３０ｃと係止溝４７との係合による回動規制と協同してストッパ３０の回動を規制することができる。
【実施例６】
【００９６】
図１８〜図２０には、本願発明に係わる第６実施例を示している。実施例６における構成では、ストッパ３０を上昇させた位置において、ストッパの回動を規制してストッパ３０を立った状態に維持し、ストッパ３０を立った状態のまま降下させることができる維持手段を備えた構成において、上記実施例５における構成と異なっている。他の構成は、実施例５における構成と同様の構成を有しており、同様の構成に関しては同じ部材符号を用いることで、当該部材の説明を省略する。
【００９７】
また、実施例５では、ストッパ３０の回動を規制する回動規制手段として回動規制部材３９を備えた構成とすることができるが、実施例６では、案内手段と維持手段とによりストッパ３０の回動を規制することができるので、実施例６では、必ずしも実施例５で説明した回動規制部材３９を設けなくてもよい。
【００９８】
図１９、２０では、それぞれストッパ３０の表面側から見た斜視図と裏面側から見た斜視図とを示している。ストッパ３０の側端面に支軸３２以外に案内溝２８が形成されている。図１８に示すように同案内溝２８は、一端部がプレート１０側に開口した形状に構成されている。
【００９９】
係合溝４内に配した案内手段は、ストッパ３０の支軸３２と係合溝４の内側面に形成した長溝３３とにより構成されている。長溝３３としては、実施例５に係わる図１４の説明において説明したように、弾性片３３ａや長溝３３の下端部に形成した抜け止める防止用の突起部を形成しておくことができる。また、長溝３３の下端部に上下一対の突起部を形成しておき、ストッパ３０の支軸３２を同一対の突起部内で保持しておくこともできる。一対の突起部内で支軸３２を保持しておくことにより、ストッパ３０が上方に移動するのを防止することができる。
【０１００】
ストッパ３０の支軸３２を形成した面には、案内溝２８が下端部を開放状態として形成されている。また、係合溝４には、ストッパ３０の上昇位置において、支軸３２を中心としてストッパ３０を回動させたときに上記案内溝２８と係合状態あるいは非係合状態となるピン２９が設けられている。ピン２９及び案内溝２８はストッパ３０の左右に一対形成することも、ストッパ３０の片側に形成しておくこともできる。
【０１０１】
ストッパ３０を上昇させて、しかもストッパ３０をプレート１０の開口部１６を閉塞する方向に回動させると、案内溝２８の開口からピン２９を挿入することができる。この状態からストッパ３０を長溝３３及び案内溝２８に沿って下降させることでストッパ３０を紙裁断機にセットすることができる。
【０１０２】
また、上述した長溝３３の下端部に上下一対の突起部によりストッパ３０の支軸３２が保持されることにより、ストッパ３０のフランジ部３０ａ内に挿入されたプレート１０がバネ１５の付勢力によりストッパ３０を上昇させるのを防止することもできる。バネ１５の付勢力により上方に付勢されているプレート１０は、プレート１０の端部に形成した係止片１０ａと回動規制部材３９の係止段部３９ｃとの係合により防止することもできる。
【実施例７】
【０１０３】
図２１〜図２５は、本願発明に係わる第７実施例を示している。第７実施例では、プレート１０を基台２に対して係止することができる構成を特徴としている。このため、第６実施例で示す紙裁断機以外にも、実施例１〜実施例６で示した紙裁断機に対しても適用することができるものである。
【０１０４】
第７実施例における構成で用いられる部材のうち、上述の第１実施例〜第６実施例で用いている部材と同じ部材については、第１実施例〜第６実施例で用いた部材符号と同じ部材符号を用いることでその部材の説明を省略する。以下においては、上述の実施例１〜実施例６とは異なる構成について説明を行うこととする。なお、実施例７で説明する紙裁断機に関する構成は、実施例７に限定されるものではなく、上述の実施例１〜実施例６における構成として適用することができるものである。
【０１０５】
図２１は、プレート１０を基台２から離間する方向に一対のアーム６、６を回動させ、ストッパ３０をアーム６に対して回動させた状態を示す斜視図である。図２２は、紙裁断機１の上部平面図を示し、図２３は紙裁断機１の底部平面図を示している。
【０１０６】
図２１に示すように、プレート１０の一部側縁部には係止溝４２が形成されている。プレート１０が基台２に対して倒伏した状態において、前記係止溝４２と係合する係止片４１ａを備えた係止部材４１が、基台２の規制部材３上に配されている。係止部材４１は、規制部材３に形成した長孔４３に嵌挿されており、長孔４３に沿ってプレート１０の側縁部と接離可能に構成されている。
【０１０７】
規制部材３の裏面側は、図２３に示すようにガイド溝４５が形成され、ガイド溝４５の幅方向における中間部には前記長孔４３が形成されている。図２３に示すように、ガイド溝４５内に摺動自在に収納した狭持片４４ａと係止部材４１とが、ネジ４４ｂにより長孔４３を介して連結固定されている。また、狭持片４４ａ又はネジ４４ｂとガイド溝４５の先端部側との間には、弾性部材４６が介在され係止部材４１をプレート１０の側縁部側に付勢している。
【０１０８】
係止部材４１のプレート側上面には傾斜面４１ｂが形成されており、プレート１０の倒伏時にプレート１０における側縁部の裏面側が係止部材４１の傾斜面４２ｂに当接し、傾斜面４１ｂによって係止部材４１は、弾性部材４６の付勢力に抗して後方に退避することができる。これにより、係止部材４１によってプレート１０の倒伏動作が妨げられることがない。
【０１０９】
また、プレート１０が傾斜面４１ｂを滑り降りて基台２側に近接すると、係止部材４１は弾性部材４６の付勢力によりプレート１０側に前進し、係止部材４１の係止片４１ａとプレート１０に形成した係止溝４２とが係合する。これにより、プレート１０を基台２に近接した位置に保持することができる。
【０１１０】
係止部材４１に付勢力を付与する弾性部材４６が設けられていないときには、プレート１０の倒伏操作により後退した係止部材４１を手動により前進させることで、プレート１０の係止溝４２と係止部材の係止片４１ａとを係合させることができる。
【０１１１】
プレート１０として、基台２の面に対して略上下方向に接離可能に構成されている場合においても、プレート１０に係止部材４１の係止片４１ａと係合する係止溝４２を形成しておくことで、上述の場合と同様にプレート１０に基台２側への接近で、傾斜面４１ｂとの作用による係止部材４１を後退させることができる。また、プレート１０が傾斜面４１ｂを滑り降りた後、弾性部材４６の付勢力で係止部材４１が前進して、係止部材４１の係止片４１ａとプレート１０の係止溝４２とを係合させることができる。
【０１１２】
係止部材４１を付勢する弾性部材４６の構成としては、図２５（ａ）〜（ｄ）に示すような構成とすることができる。図２５（ａ）ではコイルバネを用いた一例を示しており、コイルバネとしては、圧縮バネ、引張りバネを用いることができる。図２５（ａ）では引張りバネを用いた例を示している。
【０１１３】
弾性部材４６としては、コイルバネ以外にも板バネ等を用いることができ、板バネを用いた例を図２５（ｂ）〜（ｄ）に示している。図２５（ｂ）では、板バネをΩ形状に形成した例を示しており、図２２（ｃ）では片持ち式に板バネを用いた例を示し、図２５（ｄ）ではジグザク状に板バネを屈曲させた例を示している。板バネの端部は、基台２の裏面側に形成した板バネ用の嵌合切欠等に嵌合固定あるいは嵌合用の溝等に遊嵌して保持させておくことができる。
【０１１４】
尚、係止部材４１を付勢する弾性部材４６の構成及び弾性部材４６により押圧される係止部材４１の部位としては、図２５（ａ）〜（ｄ）に示す構成例に限定されるものではなく、係止部材４１をプレート１０の側縁部側に付勢することのできる構成であれば、他の構成を採用することができるものである。また、弾性部材４６は必ずしも必要な構成ではなく、弾性部材４６を用いない構成とすることもできる。
【０１１５】
図２１、図２３に示すように、プレート１０における一方の側縁の両隅部には、支承軸４８ｂを有したフランジ部４８ａが形成されている。支承軸４８ｂは基台２に形成した軸支承部４９に係合し、同軸支承部４９を回動中心としてアーム６を回動させることができる。軸支承部４９は横断面が略Ｃ字状に形成され、Ｃ字状の開口側から支承軸４９ａを嵌入して係合させることができる。
【０１１６】
このアーム６の回動機構は、実施例２の図６で説明した回動機構と同様の構成となっている。実施例２における図７で示した回動機構とは異なっているが、図７に示す回動機構を実施例６における回動機構として適用することもできる。
【０１１７】
図２１に示すようにストッパ３０には、ストッパ３０を回動させるレバー３０ｄが形成されている。図２２に示すように、レバー３０ｄはプレート上面から一部離間しており、同離間した部分に指先等を挿入することでストッパ３０を、図２１で示すようにアーム６に対して容易に回動させることができる。尚、ストッパ３０に形成したレバー３０ｄの構成及びレバーを載置するための図２１に示すようなアーム６に形成した構成は、ストッパ３０を回動させる上述の実施例１〜実施例７における構成として適用することができるものである。
【０１１８】
図２３に示すように、基台２の裏面側には、基台２の表面が撓むのを防止するために形成したリブ４７である。リブ４７の形状としては円形に限定されるものではなく、基台２の表面が撓むのを防止し、基台２に強度を持たせることのできるリブであれば、必要数、必要箇所に適宜の形状で構成することができる。また、基台２の外周部等にも基台２に強度を持たせるリブ等を形成しておくこともできる。
【０１１９】
上述の各実施例において、アーム６によりプレート１０を回動可能に構成する場合には、アーム６の回動機構に捻りバネ等を介在させておくことで、プレート１０を常時開放方向に付勢する構成としておくこともできる。
【産業上の利用可能性】
【０１２０】
本願発明は、紙裁断機におけるスライダーのスロットへの挿入、取り外しを容易に行うことのできる新規な構成に係わるものであるが、紙裁断機におけるスライダーと同様な構成を有する装置等に本願発明の技術を適用することができる。
【図面の簡単な説明】
【０１２１】
【図１】本願発明の全体図を示した分解図である。（実施例１）
【図２】ストッパとフランジ部との取り付け関係を説明する概略図である。（実施例１）
【図３】ストッパとフランジ部との取り付け関係を説明する変形例である。（実施例１）
【図４】ストッパとフランジ部との取り付け関係を説明する他の変形例である。（実施例１）
【図５】ストッパとフランジ部との取り付け関係を説明する別の変形例である。（実施例１）
【図６】他の紙裁断機の全体図を示した斜視図である。（実施例２）
【図７】図６のプレートを拡開した図である。（実施例２）
【図８】ストッパとアームとの取り付け関係を説明する概略図である。（実施例２）
【図９】ストッパとアームとの取り付け関係を説明する変形例である。（実施例２）
【図１０】ストッパとアームとの取り付け関係を説明する他の変形例である。（実施例２）
【図１１】ストッパとアームとの取り付け関係を説明する別の変形例である。（実施例２）
【図１２】ストッパとプレートとの取り付け関係を説明する概略図である。（実施例３）
【図１３】ストッパとプレートとの取り付け関係を説明する変形例である。（実施例４）
【図１４】ストッパとフランジ部との取り付け関係を説明する要部概略図である。（実施例５）
【図１５】図１４に示すストッパの作動状況を示す説明図である。（実施例５）
【図１６】他のストッパとフランジ部との取り付け関係を説明する要部概略図である。（実施例５）
【図１７】別のストッパとフランジ部との取り付け関係を説明する要部概略図である。（実施例５）
【図１８】ストッパとフランジ部との取り付け関係を説明する要部概略図である。（実施例６）
【図１９】ストッパの表面から見た斜視図である。（実施例６）
【図２０】ストッパの裏面から見た斜視図である。（実施例６）
【図２１】別の紙裁断機の全体図を示した斜視図である。（実施例７）
【図２２】図２１に示した紙裁断機の上面図である。（実施例７）
【図２３】図２１で示した紙裁断機の裏面図である。（実施例７）
【図２４】係止部材と基台との一部断面図である。（実施例７）
【図２５】弾性部材の変形例を示した要部平面図である。（実施例７）
【図２６】従来例を示す概略図である。（従来例）
【符号の説明】
【０１２２】
１      紙裁断機
２      基台
３      規制部材
４      係合溝
５      フランジ部
６      アーム
６’    支軸
８      ガイド溝
９      案内溝
１０      プレート
１０ａ    係止片
１１      スロット
１２      案内レール
１２’    支軸
１３      係合凸部
１４      ブリッジ
１５      バネ
１６      開口部
１７      切り欠き部
１７ａ    係合部
１８      係合穴
２０      スライダー
２１      スライダー本体
２２      蓋
２３      凹凸
２４      脚部
２５      係合部
２６      カッタ
２７      カッタ保持孔
２８      案内溝
２９      ピン
３０      ストッパ
３０ａ    フランジ部
３０ｂ    円弧状端部
３０ｃ    係止片
３０ｄ    レバー
３１      係合片
３２      支軸
３３      長溝
３３ａ    弾性片
３４      係合片
３４ａ    係合部
３５ａ    突起部
３５ｂ    凹部
３６      係止片
３７      係合片
３８      係合片
３９      回動規制部材
３９ａ    垂直面
３９ｂ    円弧面
３９ｃ    係止段部
４１      係止部材
４１ａ    係止片
４１ｂ    傾斜面
４２      係止溝
４３      長孔
４４ａ    狭持片
４４ｂ    ネジ
４５      ガイド溝
４６      弾性部材
４７      リブ
４８ａ    フランジ部
４８ｂ    支承軸
４９      軸支承部
５０      基台
５１      アーム
５２      プレート
５３      スロット
５４      スライダー
５５      拡幅部
【図１】
2005125477.tif 000003
【図２】
2005125477.tif 000004
【図３】
2005125477.tif 000005
【図４】
2005125477.tif 000006
【図５】
2005125477.tif 000007
【図６】
2005125477.tif 000008
【図７】
2005125477.tif 000009
【図８】
2005125477.tif 000010
【図９】
2005125477.tif 000011
【図１０】
2005125477.tif 000012
【図１１】
2005125477.tif 000013
【図１２】
2005125477.tif 000014
【図１３】
2005125477.tif 000015
【図１４】
2005125477.tif 000016
【図１５】
2005125477.tif 000017
【図１６】
2005125477.tif 000018
【図１７】
2005125477.tif 000019
【図１８】
2005125477.tif 000020
【図１９】
2005125477.tif 000021
【図２０】
2005125477.tif 000022
【図２１】
2005125477.tif 000023
【図２２】
2005125477.tif 000024
【図２３】
2005125477.tif 000025
【図２４】
2005125477.tif 000026
【図２５】
2005125477.tif 000027
【図２６】
2005125477.tif 000028